(57)【要約】【課題】  コーナーサッシにおいて、隅角部を何の障害物もなく全開できるようにし、柱を設けない場合の隅角部の水密性及び気密性の確保が可能な障子の突き合わせ構造を提供する。【解決手段】  建物の入隅又は出隅において出合う二つの壁に沿って連続する窓開口部を形成し、その窓開口部の一方の壁側の部分及び他方の壁側の部分にそれぞれ上枠、下枠及び一つの縦枠でコ字形に枠組みされた窓枠を、両窓枠の上枠の自由端部同士及び下枠の自由端部同士が実質的に連続するように取り付け、それぞれの窓枠に横移動により開閉される障子を建て付け、両窓枠のすべての障子を当該窓枠の縦枠方向に移動した時は窓開口部の隅角部部分が全開され、両窓枠の所定の障子を隅角部方向に移動した時は当該障子の先端の縦框同士が隅角部において当接して窓開口部が密閉されるようにした。【選択図】      図１
2006104893.tif 000002
【特許請求の範囲】
【請求項１】
建物の入隅又は出隅に、隅角部において出合う二つの壁に沿って連続する窓開口部を形成し、その窓開口部の一方の壁側の部分及び他方の壁側の部分にそれぞれ上枠、下枠及び一つの縦枠でコ字形に枠組みされた窓枠を、両窓枠の上枠の自由端部同士及び下枠の自由端部同士が実質的に連続するように取り付け、それぞれの窓枠に横方向に移動して開閉される障子を建て付け、両窓枠のすべての障子を当該窓枠の縦枠方向に移動した時は前記窓開口部の隅角部側部分が全開され、前記両窓枠の所定の障子を前記隅角部方向に移動した時は当該障子の先端の縦框同士が前記隅角部において当接して前記窓開口部が密閉されることを特徴とするコーナーサッシ。
【請求項２】
閉窓時に隅角部において互いに当接する縦框は、通常の縦框の先端に先端面が４５度に傾斜しているアタッチメントが付加されたものであることを特徴とする請求項１に記載のコーナーサッシ。
【請求項３】
アタッチメントの傾斜している先端面に気密材が設けられていることを特徴とする請求項２に記載のコーナーサッシ。
【請求項４】
閉鎖時において隅角部側に存在する両障子の先端の縦框は、ガラス嵌合溝及び中空部を形成する屋内側縦壁と屋外側縦壁の一方を他方よりも隅角部方向に延長され、その延長された縦壁の先端と延長されない縦壁の先端とを結ぶ直線は障子の幅方向に対して４５度であり、少なくとも一方の縦框の屋内側縦壁と屋外側縦壁の少なくとも一方の先端に閉窓時に他方の縦框に当接する気密材が装着されていることを特徴とする請求項１に記載のコーナーサッシ。
【請求項５】
閉窓時において隅角部側に存在する両障子の先端の縦框の内、一方の縦框には閉鎖位置において他方の縦框に対向する方向に突出する複数の突縁を設け、前記他方の縦框には前記隅角部方向に延出して、閉窓時において前記一方の縦框の突縁と当接し又は近接する複数の突縁を設けて、閉窓時に前記両障子の先端の縦框の突縁が前記隅角部においてラビリンス構造を形成するようにしたことを特徴とする請求項１に記載のコーナーサッシ。
【請求項６】
ラビリンス構造を形成する突縁の内、両縦框の最も屋外側に存在する突縁の一方に他方に密着する気密材が装着されていることを特徴とする請求項５に記載のコーナーサッシ。
【発明の詳細な説明】
【技術分野】
【０００１】
本発明は、建物の隅角部（入隅又は出隅）に鉤状に連続して取り付けられるコーナーサッシに関する。
【背景技術】
【０００２】
従来、建物の隅角部に鉤状に連続して取り付けられるコーナーサッシは、隅角部に設けられた柱の両側に形成された窓開口部に矩形に枠組みされた窓枠を用いる二つのサッシを取り付けて、実質的に鉤状に連続させた構造のものである。
【特許文献１】とくになし
【発明の開示】
【発明が解決しようとする課題】
【０００３】
従って、第一に、二つのサッシの柱に対する取付手間が多くかかる。第二に、窓を全開しても、角部には常に柱とこれに接続された二つの窓枠の縦枠が存在するため窓の視界が阻害されるので、室内側から外を見る場合にも空間の広がりがなく、開放感が得られない。第三に、全開した状態で隅角部から大型家具などのを搬入・搬出する場合に、柱などが障害物になり易い。以上の問題があった。
【０００４】
本発明は上記の点に鑑みてなされたものである。すなわち、本発明が解決しようとする課題は、建物の隅角部に鉤状に連続して取り付けられるコーナーサッシにおいて、隅角部を何らの障害物もない状態に全開できるようにすることにある。とくに、閉窓時に、隅角部の水密性及び気密性の確保が可能な障子の突き合わせ構造を提供することにある。
【課題を解決するための手段】
【０００５】
上記課題を解決するため、本発明は、建物の入隅又は出隅に、隅角部において出合う二つの壁に沿って連続する窓開口部を形成し、その窓開口部の一方の壁側の部分及び他方の壁側の部分にそれぞれ上枠、下枠及び一つの縦枠でコ字形に枠組みされた窓枠を、両窓枠の上枠の自由端部同士及び下枠の自由端部同士が実質的に連続するように取り付け、それぞれの窓枠に横方向に移動して開閉される障子を建て付け、両窓枠のすべての障子を当該窓枠の縦枠方向に移動した時は前記窓開口部の隅角部側部分が全開され、前記両窓枠の所定の障子を前記隅角部方向に移動した時は当該障子の先端の縦框同士が前記隅角部において当接して前記窓開口部が密閉されることを特徴としている（請求項１）。
上記構成において、隅角部側の障子を縦枠方向に移動すると、窓開口部の隅角部側部分が全開される。従って、コーナーサッシを室内側からみた場合に空間の広がりが看取され、開放感がある。また、障子を閉めた場合は、障子の先端の縦框同士が突き合わせになり、密閉される。
【０００６】
閉鎖時に隅角部において当接する縦框は、通常の縦框の先端に先端面が４５度に傾斜しているアタッチメントが付加された構成のものとすることができる（請求項２）。
上記構成により、閉窓時は隅角部側の障子の先端の框の先端面同士が密着する。従って、隅角部に柱及び縦枠がなくとも気密性及び水密性が確保される。
【０００７】
アタッチメントの傾斜している先端面に気密材が設けられていることが好ましい（請求項３）。
これにより、閉窓時には隅角部に高い気密性と水密性が得られる。
【０００８】
本発明による障子の突き合わせ構造は、閉鎖時において隅角部側に存在する両障子の先端の縦框の、ガラス嵌合溝及び中空部を形成する屋内側縦壁と屋外側縦壁の一方を他方よりも隅角部方向に延長し、その延長された縦壁の先端と延長されない縦壁の先端とを結ぶ直線を障子の幅方向に対して４５度とし、少なくとも一方の縦框の屋内側縦壁と屋外側縦壁の少なくとも一方の先端に、閉窓時に他方の縦框に当接する気密材を装着した構造とすることができる（請求項４）。
上記構成により、閉窓時には、障子をいずれも先後関係なく閉鎖することができ、閉鎖された両障子の屋内側縦壁と屋外側縦壁の先端同士が突き合わせになって、その間に気密材が介在するので、窓の隅角部が密閉される。
【０００９】
また、本発明による障子の突き合わせ構造は、閉窓時において隅角部側に存在する両障子の先端の縦框の内、一方の縦框には閉鎖位置において他方の縦框に対向する方向に突出する複数の突縁を設け、前記他方の縦框には前記隅角部方向に延出して、閉鎖時において前記一方の縦框の突縁と当接し又は近接する複数の突縁を設けて、閉窓時に前記両障子の先端の縦框の突縁が前記隅角部においてラビリンス構造を形成するようにしたことを特徴としている（請求項５）。
上記構成により、一方の縦框を有する障子を先に閉鎖し、その後に他方の縦框を有する障子を閉鎖すると、一方の縦框の突縁と他方の縦框の突縁とが屋内外方向に重なった位置関係をもって嵌合してラビリンス構造が形成された状態で隅角部が密閉される。
【００１０】
上記ラビリンス構造を形成する突縁の内、両縦框の最も屋外側に存在する突縁の一方に他方に密着する気密材が装着されていることが望ましい（請求項６）。
この構成により、閉窓時には一方の突縁の気密材が相手の突縁に密着する。
【発明の効果】
【００１１】
請求項１の発明によれば、建物の入隅又は出隅に隅角部において出合う二つの壁に沿って連続する窓開口部を形成し、その窓開口部の一方の壁側の部分及び他方の壁側の部分にそれぞれ上枠、下枠及び一つの縦枠でコ字形に枠組みされた窓枠が取り付けられ、それぞれの窓枠に横方向に移動して開放される障子が建て付けられているから、隅角部には柱がなく、隅角部側の障子を縦枠方向に移動すると隅角部が全開されて、隅角部には柱も縦枠も存在しないので、室内側からみた場合に隅角部に空間の広がりが看取され、開放感が得られる。また、窓開口部における大型家具などの搬出・搬入を容易に行うことができる。
【００１２】
請求項２の発明によれば、障子の従来の縦框にアタッチメントを付加するだけで、コーナーサッシ用の障子を安価に得ることができる。閉窓時は障子をいずれも先後関係なく閉鎖することができる。また、隅角部側の障子の先端の框の先端面同士が密着するから、隅角部に柱及び縦枠がなくとも気密性及び水密性が確保される。
【００１３】
請求項３の発明によれば、上記アタッチメントの傾斜している先端面に気密材が設けられているので、閉窓時には隅角部に高い気密性と水密性が得られる。
【００１４】
請求項４の発明によれば、障子の突き合わせ構造が、閉鎖時において隅角部側に存在する両障子の先端の縦框の、ガラス嵌合溝及び中空部を形成する屋内側縦壁と屋外側縦壁の一方を他方よりも隅角部方向に延長し、その延長された縦壁の先端と延長されない縦壁の先端とを結ぶ直線を障子の長手方向に対して４５度とし、少なくとも一方の縦框の屋内側縦壁と屋外側縦壁の少なくとも一方の先端に、閉窓時に他方の縦框に当接する気密材を装着した構成であるので、第一に、閉窓時にはいずれの障子も順序性を考慮することなく閉鎖することができる。第二に、閉鎖された両障子の屋内側縦壁と屋外側縦壁の先端同士が突き合わせになって、その間に気密材が介在するので、窓の隅角部が密閉され、水密性及び気密性が得られる。
【００１５】
請求項５の発明によれば、障子の突き合わせ構造が、閉鎖時において隅角部側に存在する両障子の先端の縦框の内、一方の縦框には閉鎖位置において他方の縦框に対向する方向に突出する複数の突縁を設け、前記他方の縦框には前記隅角部方向に延出して、閉鎖時において前記一方の縦框の突縁と緊密に当接する複数の突縁を設けて、閉窓時に隅角部の縦框にラビリンス構造が形成されるように構成したので、第一に、一方の縦框を有する障子を先に閉鎖し、その後に他方の縦框を有する障子を閉鎖することにより、一方の縦框の突縁に他方の縦框の突縁に屋内外方向に重なった位置関係をもって嵌合する。従って、隅角部における障子の突き合わせ部は気圧の変動に対して大きな強度を備える。第二に、突縁により構成されるラビリンス構造により隅角部が密閉されるから、隅角部に高い気密性と水密性が確保される。
【００１６】
請求項６の発明によれば、上記ラビリンス構造を形成する突縁の内、両縦框の最も屋外側に存在する突縁の一方に他方に密着する気密材が装着されているので、隅角部から屋内への隙間風又は雨水の浸入が有効に防止される。
【発明を実施するための最良の形態】
【００１７】
続いて、本発明の実施の形態について、図面に基づいて説明する。
図１は障子が引き違い戸である場合のコーナーサッシの概略構成を示す横断面図であり、（ａ）は閉窓時、（ｂ）は開窓時の状態を示す。図２は図１の具体的実施例を示す横断面図、図３は図２のＸ−Ｘ線断面図、図４は障子の突き合わせ構造の第１の類型の他例を示す要部の横断面図、図５は同じく第１の類型のさらに他例を示す要部の横断面図、図６は障子の突き合わせ構造の第２の類型の一例を示す要部の横断面図、図７は同じく第２の類型の他例を示す要部の横断面図である。図８ないし図１０は図１のコーナーサッシが図７の障子突き合わせ構造を採用した場合における具体的実施例を示すものであり、それぞれ図１のＡＡ−ＢＢ部分拡大図，ＣＣ−ＤＤ部分拡大図，ＥＥ−ＤＤ部分拡大図である。
【００１８】
図１１は障子が折り戸である場合のコーナーサッシの概略構成を示す横断面図であり、（ａ）は閉窓時、（ｂ）は開窓時の状態を示す。図１２は図１１のＦ部分拡大図、図１３は図１１のＧ部分拡大図、図１４は図１１のＨ部分拡大図、図１５は図１１のＩ部分拡大図、図１６は図１１のＹ−Ｙ線断面図である。図１７及び図１８は、本発明を適用した折り戸コーナーサッシの一例を屋外側から見た外観図であり、図１７は閉窓状態、図１８は開窓状態を示す。
【００１９】
本発明のコーナーサッシは、図１に示すように、建物の入隅又は後述されるように出隅に取り付けられるものであり、隅角部において出合う二つの壁Ｗ１，Ｗ２に沿って直角（鋭角あるいは鈍角でもよい。）に連続する窓開口部を形成し、一方の壁Ｗ１側の窓開口部及び他方の壁Ｗ２側の窓開口部にそれぞれ上枠、下枠及び一つの縦枠でコ字形に枠組みされた窓枠Ｆ１，Ｆ２をコ字形の開口側が連続するように、すなわち、両窓枠の上枠の自由端部同士及び下枠の自由端部同士が実質的に連続するように取り付けられ、各窓枠に横方向に移動して開閉される障子ｄ１１，ｄ１２；ｄ２１，ｄ２２を建て付けてある。横方向に移動して開閉される障子には、図１に概略的に示すように引き違い戸と、図１１に概略的に示すように折り戸とがある。引き違い戸と折り戸のいずれの場合も、当該窓開口部を閉鎖するとき（閉窓時）に入隅又は出隅の隅角部まで移動される障子（以下、先端側障子という。）の先端の縦框（すなわち、召し合わせ框と反対側の縦框。以下、戸先框という。）がその隅角部において突き合わせられ、かつ、その戸先框同士が密着して、隅角部に水密性と気密性が確保されるように、各戸先框に本発明に特有の構造が備えられている。
好ましい実施の形態においては、各窓枠の上枠及び下枠の自由端部を４５度に切断し、その切断面を隅角部において当接した状態で固定されている。そして、この場合、各窓枠の各障子を移動方向に案内し支持するレールは隅角部まで延長されて直角に連続されている。これにより、隅角部の床面にレールの鋭利な先端が露出されて、その床面を歩行する人が足を怪我することが防止されている。
【００２０】
以下に、まず、本発明を引き違い戸に適用した場合の実施の形態について説明する。
図１において、ｄ１１，ｄ１２は窓枠Ｗ１の上１、下枠２のレールに沿って移動自在に建て付けられた引き違い戸であり、そのうち、ｄ１１は閉窓時に縦枠３に当接した状態で固定される縦枠側障子であり、ｄ１２は閉窓時に隅角部側に移動される先端側障子である。ｄ１３は窓枠Ｆ１に引き違い戸の屋外側に移動自在に建て付けられた網戸である。
【００２１】
また、図１において、ｄ２１，ｄ２２は窓枠Ｗ２の上、下枠のレールに沿って移動自在に建て付けられた引き違い戸であり、そのうち、ｄ２１は閉窓時に縦枠に当接した状態で固定される縦枠側障子であり、ｄ２２は閉窓時に隅角部側に移動される先端側障子である。ｄ２３は窓枠Ｆ１に引き違い戸の屋外側に移動自在に建て付けられた網戸である。
【００２２】
縦枠側障子ｄ１２，ｄ２２は、各窓枠Ｆ１，Ｆ２の縦枠３に移動不能に固定されても構わない。
【００２３】
図２及び図３の縦枠側障子ｄ１１，ｄ２１はいずれも通常の障子と同様の構造を有し、網戸ｄ１３，ｄ２３も通常の網戸と同様の構造を有するものである。図１には図示されていないが、図２に示すように、それぞれの引き違い戸には閉鎖時に施錠するための、クレセント錠又はグレモン錠などの既知の錠４が取り付けられている。
【００２４】
これに対して、先端側障子ｄ１２，ｄ２２は、戸先框以外は通常の障子と同様の構成であるが、戸先框はいずれも閉窓時に戸先框同士が突き合わせになって隅角部に水密性とが確保されるための構造を備えている。図２に示す例は、先端側障子ｄ１１，ｄ２１に通常の縦框を有する通常の障子を用い、戸先側の縦框５の先端に先端面が４５度に傾斜しているアタッチメント５’を付加して戸先框５Ａ１，５Ａ２を構成したものである。
【００２５】
これにより、閉窓時は、両窓枠Ｆ１，Ｆ２の先端側障子ｄ１２，ｄ２２の戸先框５Ａ１，５Ａ２同士が突き合わせになり、４５度の傾斜面に沿って密着するようになっている。アタッチメント５’には、４５度の傾斜面にわずかに突出する気密材（図示せず）が装着されていることが望ましい。これにより、突き合わせられた戸先框５Ａ１，５Ａ２の間に高い気密性及び水密性が確保される。また、上記の戸先框５Ａ１，５Ａ２は、先端面が４５度に傾斜しているので、端側障子ｄ１２，ｄ２２を閉鎖する際にどちらを先に閉鎖すべきかの順序を考慮する必要がない。
【００２６】
図２は従来の縦框５にコーナーサッシ用アタッチメント５’を付加して戸先框を構成したが、図４及び図５は、本発明のコーナーサッシ専用に作られた新規な戸先框の二つの例を示す。いずれも断熱サッシ用のためアルミニウム合金製形材の屋外側に樹脂製形材が一体的に結合されている。図４のものは入隅用であり、アルミニウム合金製形材５ａ１１，５ａ１２の屋内側に樹脂製形材５ｂ１１，ｂ１２が一体的に結合されて、戸先框５Ｂ１，５Ｂ２が構成されている。図５のものは出隅用であり、アルミニウム合金製形材５ａ２１，５ａ２２の屋内側に樹脂製形材５ｂ２１，５ｂ２２が一体的に結合されて、戸先框５Ｃ１，５Ｃ２が構成されている。
【００２７】
そして、いずれの戸先框５Ｂ１，５Ｂ２；５Ｃ１，５Ｃ２においても、縦框のガラス嵌合溝と中空部を形成する屋内側縦壁と屋外側縦壁の一方が他方よりも隅角部方向に延出され、その延出された端部と延出されない端部とを結ぶ直線がそれぞれの障子の幅方向に対して４５度に傾斜するようにしてある。従って、この実施形態におけるコーナーサッシの場合も、先端側障子のいずれでも先に閉めることができ、同時に閉めることもできる。さらに、両先端側障子の少なくとも一方の障子の、延長された縦壁の先端と延長されていない縦壁の先端の少なくとも一方に気密材６ａ；６，６’が設けてあり、閉窓時にその気密材同士が密着して又は気密材が他方の戸先框に密着して、隅角部に高い気密性及び水密性が確保されるようにしてある。
【００２８】
先の実施の形態においては、閉窓時に二つの先端側障子の戸先框同士が４５度の傾斜面に沿って当接しているため、屋内外気圧差が大きい場合に、隅角部に微小隙間が生じて気密性と水密性が損なわれる虞がある。図６及び図７に示す実施の形態は、上記閉窓時における気密性及び水密性の低下の防止を図ったものである。図６は入隅用、図７は出隅用である。この実施の形態においては、閉窓時において隅角部側に存在する障子、すなわち先端側障子の戸先框の内、一方の戸先框には閉鎖位置において他方の戸先框に対向する方向に突出する複数の突縁を設け、前記他方の戸先框には前記隅角部方向に延出して、閉窓時において前記一方の戸先框の突縁と当接し又は近接する複数の突縁を設けて、閉窓時に前記両障子の戸先框の各突縁が隅角部においてラビリンス構造を形成するようにしたものである。
【００２９】
図７のものは図６のものと基本的に同一であるので、図６に示す例についてのみ詳しく説明する。窓枠Ｆ２の先端側障子の戸先框５Ｄ２にはアルミニウム合金形材５ａ３２及び樹脂形材５ｂ３２に閉鎖位置において窓枠Ｆ２の先端側障子の戸先框５Ｄ１に対向する方向に突出する複数の突縁５２を設け、前記戸先框５Ｄ１にはアルミニウム合金形材５ａ３１及び樹脂形材５ｂ３１に隅角部方向に延出して閉窓時において前記突縁５２と当接し又は近接する複数の突縁５１を設けることにより、閉窓時に前記両障子の戸先框の各突縁５１，５２が隅角部においてラビリンス構造を形成するようにしてある。好ましくは、少なくとも最屋外側に存在する一対の突縁の一方５２に他方５１に密着する気密材６ｂが装着されている。各対の突縁が当接又は近接して嵌合しているので、屋内外気圧差が生じても戸先框間に隙間が生じることが防止される。また、隅角部にラビリンス構造が形成されるので、隅角部に高い気密性及び水密性が確保される。
【００３０】
このように一方の戸先框に閉鎖位置において他方の戸先框に対向する方向に突出する複数の突縁を、他方の戸先框に隅角部方向に延出して、閉窓時において一方の戸先框の突縁と当接し又は近接する複数の突縁を設けた場合は、前記一方の戸先框を有する先端側障子を先に閉鎖し、次に前記他方の戸先框を有する先端側障子を閉鎖すると、いずれの障子も所定位置まで移動し、各戸先框の突縁同士が当接又は近接して隅角部にラビリンス構造が形成され、また、気密材６ｂにより隅角部が密閉される。
【００３１】
図８、図９及び図１０は、図７の形態の戸先框を採用したコーナーサッシの具体例を示すものであり、それぞれ図１におけるＡＡ−ＢＢ，ＣＣ−ＤＤ，ＥＥ−ＤＤ部分の一部省略拡大図に相当する。ただし、図１のものは入隅用コーナーサッシであるのに対し、図８〜図１０は出隅用コーナーサッシである。
【００３２】
引き違い障子を建て付けたコーナーサッシにおいては、先端側障子ｄ１２，ｄ２２を閉鎖方向に移動する時、両先端框の先端同士が当接する位置まで移動した時にその位置に停止するための障子ストッパ（図示せず）が隅角部の上下の一方又は双方に設けられている。このような障子ストッパは上枠及び下枠に取り付けられる。あるいは窓枠の上、下枠と障子の上、下框に協働するように設けることもできる。
【００３３】
本発明は、障子が上記の例の引き違い戸、引き戸である場合のほか、図１１に示すように、折り戸である場合にも適用可能である。図１１において、隅角部において出合う二つの壁Ｗ１，Ｗ２に取り付けられた窓枠Ｆ１，Ｆ２のそれぞれに２枚ずつの扉を縦軸を中心に回動自在に連結してなる折り戸２連Ｄ１（ｄ３１，ｄ３２），Ｄ２（ｄ３３，ｄ３４）；Ｄ３（ｄ４１，ｄ４２），Ｄ４（ｄ４３，ｄ４４）を周知の技術により上、下枠のレールに沿って開閉自在に建て付けられている。各窓枠の縦枠側の扉ｄ３１，ｄ４１は、それぞれ当該縦枠の至近位置に縦軸によりそれを中心に回動自在に支持されている。
そして、先端の扉ｄ３４，ｄ４４の先端には図２，図４，図５，図６又は図７に示されたものと同様の戸先框が取り付けられる。図１５には図７に示された戸先框５Ｄ１，５Ｄ２が取り付けられた例が示されている。
【００３４】
上記の構成により、図１１（ａ）に示されているように閉鎖位置にある扉をすべて縦枠方向に移動すると、同図（ｂ）に示すように、窓開口部を全開することができ、隅角部には柱も縦枠も存在しない。また、すべての扉を隅角部の方向に向けて移動すると、先端の扉ｄ３４，ｄ４４の戸先框同士が当接して隅角部が密閉される。
【００３５】
図１２ないし図１５は、折り戸形式の具体的構成の一例を示すものであり、図１１の円Ｆ〜Ｉ部分の一部拡大断面図に相当し、図１６は図１１のＹ−Ｙ線に対応する断面図である。同図において、１Ｅは上枠、２Ｅは下枠、３Ｅは縦枠である。図１６において、７は扉ｄ４２の上辺の一端部を上枠１Ｅのレールに移動自在に吊る吊り戸車、８は扉ｄ４２の下辺の吊り戸車と同一側の端部を下枠２Ｅのレールに移動自在に案内する戸車である。
【図面の簡単な説明】
【００３６】
【図１】障子が引き違い戸である場合のコーナーサッシの概略構成を示す横断面図であり、（ａ）は閉窓時、（ｂ）は開窓時の状態を示す。
【図２】図１の具体的実施例を示す横断面図。
【図３】図３は図２のＸ−Ｘ線断面図。
【図４】障子の突き合わせ構造の第１の類型の他例を示す要部の横断面図。
【図５】同じく第１の類型のさらに他例を示す要部の横断面図。
【図６】障子の突き合わせ構造の第２の類型の一例を示す要部の横断面図。
【図７】同じく第２の類型の他例を示す要部の横断面図である。
【図８】図１のコーナーサッシが図７の障子突き合わせ構造を採用した場合における図１のＡＡ−ＢＢ部分拡大図。
【図９】ＣＣ−ＤＤ部分拡大図。
【図１０】ＥＥ−ＤＤ部分拡大図。
【図１１】障子が引き違い戸である場合のコーナーサッシの概略構成を示す横断面図であり、（ａ）は閉窓時、（ｂ）は開窓時の状態を示す。
【図１２】図１１のＦ部分拡大図。
【図１３】図１１のＧ部分拡大図。
【図１４】図１１のＨ部分拡大図。
【図１５】図１１のＩ部分拡大図。
【図１６】図１１のＹ−Ｙ線断面図。
【図１７】本発明を適用した折り戸コーナーサッシを閉窓状態において屋外側から見た外観図。
【図１８】同じく開窓状態において屋外側から見た外観図。
【符号の説明】
【００３７】
Ｗ１，Ｗ２      建物の壁
Ｆ１，Ｆ２      窓枠
Ｃ              隅角部
ｄ１１，ｄ１２；ｄ２１，ｄ２２    引き違い障子
ｄ１１．ｄ２２  先端側障子
５Ａ１，５Ａ２  戸先框
５Ｂ１，５Ｂ２  戸先框
５Ｃ１，５Ｃ２  戸先框
５Ｄ１，５Ｄ２  戸先框
６，６ａ，６ｂ  気密材
Ｄ１〜Ｄ４      折り戸
【図１】
2006104893.tif 000003
【図２】
2006104893.tif 000004
【図３】
2006104893.tif 000005
【図４】
2006104893.tif 000006
【図５】
2006104893.tif 000007
【図６】
2006104893.tif 000008
【図７】
2006104893.tif 000009
【図８】
2006104893.tif 000010
【図９】
2006104893.tif 000011
【図１０】
2006104893.tif 000012
【図１１】
2006104893.tif 000013
【図１２】
2006104893.tif 000014
【図１３】
2006104893.tif 000015
【図１４】
2006104893.tif 000016
【図１５】
2006104893.tif 000017
【図１６】
2006104893.tif 000018
【図１７】
2006104893.tif 000019
【図１８】
2006104893.tif 000020